(57)【要約】【課題】  着座から用便，手洗いという一連の動作を通じて使い勝手のよい局部洗浄装置を提供する。【解決手段】  温水洗浄便座２１０では、便座２１４を軸支する便座支持体２１７を、収納ケース２１６の上面の最高点よりも上方に突出させて設け、さらに便蓋２１２および便座２１４の回転中心軸Ｐを、便座取付用穴９９の位置を基準として、便器の水平前方に向かって４２ｍｍ、鉛直上方に向かって６０ｍｍの位置に設ける。便座２１４および便蓋２１２を閉じた状態から便蓋２１２を開けると、便蓋２１２が、リム面９８ａから６０ｍｍという低い高さの回転中心軸Ｐを軸として回転し、便蓋２１２の先端は、洗浄タンク９１の上端よりも低い位置において、洗浄タンク９１の前面に当接する。【選択図】  図１８
2006070699.tif 000002
【特許請求の範囲】
【請求項１】
洗浄水を吐水する吐水機構を収納したケースおよび便座を有し、該ケースが便器上面に設けられた取付孔により便器に取り付けられ、前記洗浄水を吐水して局部洗浄を行なう局部洗浄装置であって、
前記ケースは、前記便座を軸支するための便座支持体を、該ケースの上面の最高点よりも上方に突出して備え、
前記便座を、前記便座支持体に回転可能に軸支すると共に、該軸支の回転中心を、前記ケースが前記便器に装着された状態において、前記取付穴から便器の前方に向かって４２ｍｍの位置よりも後方であり、かつ前記取付穴から上方１２５ｍｍの位置よりも低い位置に設けた局部洗浄装置。
【請求項２】
前記便座支持体を、前記便座の開閉状態によらず、外部から視認可能に形成したことを特徴とする請求項１記載の局部洗浄装置。
【請求項３】
前記ケースに回転可能に軸支され、開閉可能とされた便蓋を備え、該便蓋は、該便蓋が閉状態のとき、前記ケースおよび前記便座の上面を覆うことを特徴とする請求項１または２に記載の局部洗浄装置。
【請求項４】
請求項１〜３のいずれかに記載の局部洗浄装置と、該局部洗浄装置を装着可能な便器と、該便器と連結されるタンクと、該タンクの上方に設けられる手洗い器とを備えた便所装置。
【発明の詳細な説明】
【技術分野】
【０００１】
本発明は、局部洗浄装置に関し、詳しくは、洗浄水を吐水する吐水機構を収納したケースおよび便座を有し、該ケースが便器上面に設けられた取付孔により便器に取り付けられ、洗浄水を吐水して局部洗浄を行なう局部洗浄装置に関する。
【背景技術】
【０００２】
近年では、トイレにおける局部洗浄装置の設置率が高まっている。この局部洗浄装置は、吐水機構をはじめとする機能部品を収納するケースや、着座のための便座や臭気の発散を防止するための便蓋等から構成され、便器と洗浄水タンクとの組み合わせからなる便所装置に装着される。この装着の手法としては、一般には、洋風便器の後部に形成された穴を利用して便器に装着する手法が採用されている。
【０００３】
一方、局部洗浄装置が設置されるトイレ室内は、比較的狭いのが通例であり、便所装置や局部洗浄装置とは別に、独立した手洗器を設けられない場合が多い。そこで、狭いスペースでの手洗いを可能とするために、従来より、洗浄水タンクの頂面をボウル形状としつつ、タンク上部に手洗用の水を吐水するための管（以下、手洗用吐水管という）を設ける手法が採用されている。
【発明の開示】
【発明が解決しようとする課題】
【０００４】
しかしながら、このような手洗用吐水管を備えた便所装置に局部洗浄装置を装着する場合には、開いた状態の便座や便蓋と手洗吐水管とが干渉してしまい、手洗いの使い勝手が悪くなってしまうという問題があった。この干渉の状態を図３３および図３４に示す。図３３は、収納ケース９１６内の機能部品との干渉を回避して、収納ケース９１６の上方に便座や便蓋の回転軸の中心Ｚを設けた場合を示す。この場合に便座や便蓋を開けると、便座や便蓋を開けたときの便座や便蓋の先端の垂直位置も高くなるため、図３４に示すように、手洗吐水管が便座や便蓋に隠れてしまう。
【０００５】
一方、図３５に示すように、便座や便蓋の回転軸Ｚを前方寄りに設ければ、便座や便蓋の回転半径が短くなり、便座や便蓋と手洗吐水管との干渉を防止することができる。しかしながら、便蓋を開けた状態の図３６に示すように、回転軸Ｚを前方に移動した分だけ便座の奥行きが縮まるため、便座における着座可能領域が狭くなり、着座が不安定になるおそれがあった。また、便座を閉じたときの便器の鉢部の有効領域（便座の穴の面積と鉢部の面積とが重なり合う領域）が狭くなるため、小便や局部洗浄後の洗浄水が便座や便器に付着しやすくなるという欠点もあった。
【０００６】
そこで、本発明は、上記の課題を解決し、手洗い器との干渉を生じさせることなく、着座から用便，手洗いという一連の動作を通じて使い勝手のよい局部洗浄装置を提供することを目的として、以下の構成を採った。
【課題を解決するための手段】
【０００７】
本発明の局部洗浄装置は、洗浄水を吐水する吐水機構を収納したケースおよび便座を有し、該ケースが便器上面に設けられた取付孔により便器に取り付けられ、前記洗浄水を吐水して局部洗浄を行なう局部洗浄装置であって、前記ケースは、前記便座を軸支するための便座支持体を、該ケースの上面の最高点よりも上方に突出して備え、前記便座を、前記便座支持体に回転可能に軸支すると共に、該軸支の回転中心を、前記ケースが前記便器に装着された状態において、前記取付穴から便器の前方に向かって４２ｍｍの位置よりも後方であり、かつ前記取付穴から上方１２５ｍｍの位置よりも低い位置に設けたことを要旨とする。
【０００８】
この局部洗浄装置によれば、便座および便蓋の少なくとも一方の部材とケースとの軸支の回転中心を、ケースが便器に装着された状態において、取付穴から便器の前方に向かって４２ｍｍの位置よりも後方の位置に設ける。従って、便座や便蓋の奥行きを大きくとることが可能となり、着座時における安定感が向上する。
【０００９】
さらに、本発明の局部洗浄装置は、軸支の回転中心を、ケースが便器に装着された状態において、取付穴から上方１２５ｍｍの位置よりも低い位置に設けるので、便座や便蓋を開けたときにおける便座や便蓋の先端の位置は低くなる。従って、開けた便座や便蓋の先端部分が、便座や便蓋よりも後側に設けられる手洗い器の前方に突出し、手洗い動作を邪魔することがない。このように、便座または便蓋についての軸支の回転中心を、便器の後方寄りに、低い高さで設けることで、着座から用便，手洗いという一連の動作を通じて、使い勝手のよい局部洗浄装置を提供することが可能となる。
【００１０】
また、ケースに、便座を軸支するための便座支持体を、該ケースの上面の最高点よりも上方に突出して備えたので、便座や便蓋の形状は、便座や便蓋の回転の際にケースと干渉しないような形状とすることができる。
【００１１】
また、便座および便蓋についての軸支の回転中心を、ケースが便器に装着された状態において、取付穴から便器の前方に向かって４２ｍｍの位置よりも後方の位置に設けるとともに、取付穴から上方１２５ｍｍの位置よりも低い位置に設ける構成としてもよい。この構成によれば、便蓋のみを開けたときにも、便蓋先端の位置は低くなるので、開けた便蓋の先端部分が、便蓋よりも後側に設けられる手洗い器の前方に突出し、手洗い動作を邪魔することがない。従って、大洗浄，小洗浄のいずれの場合にも、使い勝手のよい局部洗浄装置を提供することができる。
【００１２】
なお、便座支持体を、便座の開閉状態によらず、外部から視認可能に形成することも可能である。このような構成を採れば、局部洗浄装置の機能に関する表示体やセンサ等を、便座支持体に設けることができる。
【００１３】
さらに、ケースに回転可能に軸支され、開閉可能とされた便蓋を、該便蓋が閉状態のとき、ケースおよび便座の上面の全範囲を覆うように構成してもよい。この構成を採れば、便座とケースとの取り合い部に汚れが入り込むことがなく、清掃が容易となる。
【００１４】
本発明を、便所装置として把握することもできる。即ち、本発明の便所装置は、請求項１に記載の局部洗浄装置と、該局部洗浄装置を装着可能な便器と、該便器と連結されるタンクと、該タンクの上方に設けられる手洗い器とを備える。このように構成された便所装置によれば、請求項１に記載の便座または便蓋とケースとの軸支の回転中心を、便器の後方寄りに、低い高さで設けた局部洗浄装置を備えるので、開けた便座や便蓋の先端部分が、便座や便蓋よりも後側に設けられる手洗い器の前方に突出し、手洗い動作を邪魔することがない。従って、着座から用便，手洗いという一連の動作を通じて、使い勝手のよい便所装置を提供することが可能となる。
【００１５】
さらに、また、本発明は、以下に説明するような様々な態様を採ることができる。
便座が閉状態のとき、該便座の後端部がケースの上面の少なくとも一部を覆うように構成することも可能である。この構成によれば、局部に当たって跳ね返った洗浄水によって、ケースの前端が汚れることを防止できる。
【００１６】
軸支の回転中心を、取付穴から上方１２５ｍｍの位置より低く、かつ前記ケース高さの１／２より高い位置に設けることも好適である。こうすれば、ケースの下方を有効に利用し、ケースの下方に、局部洗浄に必要な部品を設けるスペースを確保することができる。また、便蓋および便座をケースに回転可能に軸支すると共に、該軸支の回転中心を、取付穴から上方１２５ｍｍの位置より低く、かつケース高さの１／２より高い位置に設ける構成としてもよい。
【００１７】
また、ケースに、便蓋および便座を軸支するための便座・便蓋支持体を、該ケースの上面から上方に突出して備え、該便座・便蓋支持体を、便座または便蓋の開閉状態によらず、外部から視認可能に形成してもよい。こうすれば、便座・便蓋支持体に表示体を設けた場合に、この表示体の状態を、常に見ることができる。また、便座・便蓋支持体にセンサを設け、このセンサを、便座または便蓋の開閉状態に応じて動作させる構成とすることもできる。
【００１８】
便座を閉じた状態において、ケースと便座との軸支部分の表面を、該ケースから該便座にかけて略連続する面として形成することも、清掃性や美感が向上する点で好ましい。また、便蓋を閉じた状態において、ケースと便蓋との軸支部分の表面を、該ケースから該便蓋にかけて略連続する面として形成すれば、便蓋を閉じた状態での清掃性や美感を高めることができる。
【００１９】
また、便座や便蓋の形状は、便座や便蓋の回転の際にケースと干渉しないような形状とする必要がある。そこで、ケースの全高を１４０ｍｍ以下とすれば、ケースの上面を便座や便蓋が通過することを考慮して、便座や便蓋を大きく抉り取った形状に成形する必要がない。この結果、便座や便蓋とケースとの取り合い部分における清掃性やデザイン性を高めることができる。
【００２０】
軸支の回転中心から前記部材の回転範囲におけるケースの外法までの最短距離を、３５ｍｍ以下とすることも好適である。こうすれば、便座や便蓋を抉る範囲は、軸支の回転中心から前方に略３５ｍｍの範囲のみとなり、抉り取る範囲を最小限に抑えることができる。
【００２１】
便座，便蓋という部材を、軸支の回転中心よりも後方に４０ｍｍ以下の値で突出するよう形成することも望ましい。このような構成を採れば、便座や便蓋の回転時に、便座や便蓋の軸支の回転中心よりも後方に突出した部分がケースの前面や上面に当たることを考慮して、ケースを特殊な形状とする必要がない。
【００２２】
便座，便蓋という部材を軸支するための軸支機構を、ケースの側面および部材の側面に露出しないように配設することも可能である。この構成によれば、ケースや便座，便蓋の側面に軸支機構が露出しないので、横幅の狭いスペースにも設置が可能となる。
【００２３】
また、本発明の局部洗浄装置に、次のような構成を持たせることも可能である。
洗浄水を吐水する吐水機構を収納したケースおよび便座を有し、前記便座および便蓋を前記ケースに回転可能に軸支すると共に、該軸支されたケースを、上部に手洗い器を有するタンクと組み付け可能な便器に装着し、所定の指示に基づいて洗浄水を吐出して人体の局部を洗浄する局部洗浄装置であって、前記軸支の回転中心を、前記便座および前記便蓋において同一とするとともに、該便座および便蓋を軸支するための軸支機構を、記ケースの側面，便座の側面および便蓋の側面に露出しないように配設し、前記軸支の回転中心を、前記便座および前記便蓋を開いたときに、該便座および該便蓋の先端の位置が前記手洗い器の吐水口よりも下方に位置するように配置したことを要旨とする。
【００２４】
この局部洗浄装置によれば、便座および便蓋を軸支するための軸支機構を、ケースの側面，便座の側面および便蓋の側面に露出しないように配設するとともに、軸支機構における軸支の回転中心を便座および便蓋において同一とする。従って、使用者の使用に際する種々の動作において、軸支機構との干渉が防止されるとともに、便座および便蓋の双方の開閉動作を一度に行なう際に、便座と便蓋との回転軌跡が同じとなるため、小さな力でスムーズに双方を開閉することができる。また、軸支の回転中心を、便座および便蓋を開いたときに、該便座および該便蓋の先端の位置が前記手洗い器の吐水口よりも下方に位置するように配置するので、便座および便蓋を開けた後に手洗い動作を行なう際に、開けた便座や便蓋の先端部分が、便座や便蓋よりも後側に設けられる手洗い器の前方に突出し、手洗い動作を邪魔することがない。このように、軸支機構を、使用者の一連の動作がスムーズとなるように構成することで、より使い勝手のよい局部洗浄装置を提供することが可能となる。
【００２５】
便蓋をケースに軸支する構成としては、ケースの外側に向かって軸支するもの、ケースの内側に向かって軸支するもの、または、ケースの内側および外側に向かって軸支するものを考えることができる。また、便座についても、ケースの外側に向かって軸支するもの、ケースの内側に向かって軸支するもの、または、ケースの内側および外側に向かって軸支するものを考えることができる。
【００２６】
便座，便蓋およびケースの形状を、該便座，便蓋およびケースの後部に至るに連れて幅が漸減する形状とすることも、取付穴近傍の上面が内側に張り出した特殊な形状の便器にも装着可能となる点で好適である。
【００２７】
また、軸支の回転中心を、便座および便蓋において同一とすれば、便座と便蓋との回転軌跡が同じとなるため、便座および便蓋の双方の開閉動作を一度に行なう際に、小さな力でスムーズに双方を開閉することができる。
【発明の効果】
【００２８】
本発明によれば、手洗い器との干渉を生じさせることなく、着座から用便，手洗いという一連の動作を通じて使い勝手のよい局部洗浄装置を得ることができる。
【発明を実施するための最良の形態】
【００２９】
以上説明した本発明の構成及び作用を一層明らかにするために、以下本発明の局部洗浄装置について、その実施の形態を実施例に基づいて説明する。図１は、本発明の第１実施例である温水洗浄便座２１０の外観を表わす概略斜視図である。なお、以下の説明において、「前方」とは、便器や便座の先端に向かう方向を、「後方」とは、便器や便座の背面に向かう方向を、それぞれ示すものとして説明する。
【００３０】
この温水洗浄便座２１０は、便器に装着して用いられ、使用者による所定の操作に基づいて、局部の洗浄や乾燥等の種々の機能を実行する。本実施例の温水洗浄便座２１０は、普通便座に替えて、種々の便器に後から装着するタイプのものであり、便器本体とは別体として構成されている。
【００３１】
図１に示すように、温水洗浄便座１０は、用便の際に人が着座するための便座２１４、開閉可能な便蓋２１２、上ケース２１６ｂと下ケース２１６ａとの組み合わせからなる収納ケース２１６を備える。便座２１４や便蓋２１２は、ポリプロピレンを用いて成形され、後述する回転軸部材２４０を用いて収納ケース２１６に着脱可能に装着されている。この装着の態様の詳細については後述する。従って、図１に記載した符号のうち、便座２１４および便蓋２１２の装着に関わる部分の符号についての説明は、ここでは省略する。
【００３２】
収納ケース２１６は、ＡＢＳ（アクリロトニル・ブタジエン・エチレン樹脂）を用いて成形されており、その内部には、局部の洗浄や乾燥等の各種の衛生機能を実行するための機能部品が収納されている。この機能部品の内容につき、図２および図３に基づいて簡単に説明する。図２は、温水洗浄便座２１０内の水の流れを示すブロック図である。収納ケース２１６の左側面には、連結管５２を介して分岐金具５１と接続される給水アダプタ５３が固着されている。給水本管からの水は、分岐金具５１によって温水洗浄便座２１０方向に分岐され、分岐された水は、連結管５２，給水アダプタ５３を通じて、収納ケース２１６内に供給される。
【００３３】
図２に示すように、給水アダプタ５３の下流側には、バルブユニット５４，熱交換器ユニット５９，ノズルユニット６８が接続される。これらの各ユニットは、収納ケース２１６の内部に収納されている。
【００３４】
バルブユニット５４は、給水アダプタ５３を通じて給水された水の水圧を調整する減圧弁５５、熱交換器ユニット５９へ水を供給するか否かを通電に応じて制御する電磁弁５６、給水された水の流路に位置する穴の空いた円盤を回転させる流調モータ６７、この円盤の回転角度によって通水路の面積を変え、熱交換器ユニット５９に供給する水の流量を切り換える水勢調節弁５７等から構成される。
【００３５】
熱交換器ユニット５９は、供給された水を加熱して温水を生成するいわゆる瞬間式のヒータ６１、生成された温水の温度を検知する温水用サーミスタ６２、生成された温水の一部を貯溜する貯湯タンク６０、貯湯タンク６０内の温水の有無を検知するフロートスイッチ６３、ノズルユニット６８へ送出された温水が熱交換器ユニット５９内へ逆流するのを防止する逆止弁６５等から構成される。
【００３６】
ノズルユニット６８は、洗浄ノズル６９、洗浄ノズル６９の位置を移動させる駆動装置、肛門洗浄の際に洗浄ノズル６９に温水を供給するための第１開閉弁、ビデ洗浄の際に洗浄ノズル６９に温水を供給するための第２開閉弁等から構成される。
【００３７】
また、収納ケース２１６の内部には、上記の３つのユニットに加えて、洗浄後の局部の乾燥機能を実行する温風ユニット５８，室内の臭気の除去を実行する脱臭ユニット４９，室内温度を調整する室内暖房ユニット３９が収納ケース２１６に収納される。温風ユニット５８は、吸気口と吹出し口が形成されたハウジングを備え、このハウジング内に、吸気を吹出し口に向けて送風する温風ファン、吸気を加熱して温風を生成する温風ヒータ、温風の温度を検知する温風サーミスタ等を収納する。脱臭ユニット４９は、吸気口と排気口が形成されたダクトを備え、このダクト内に、外気を吸気するためのファンモータや臭気を吸着する触媒等を収納する。室内暖房ユニット３９は、吸気口と温風吹出し口が形成されたケーシングを備え、このケーシング内に、室内の温度を検知する室温サーミスタ、吸気を吹出し口に向けて送風する室暖ファンモータ、吸気を加熱して温風を生成する室暖ヒータ等を収納する。
【００３８】
さらに、収納ケース２１６の内部には、上記の各ユニット，便座暖房装置および表示装置の動作を制御するコントローラユニット７０が収納される。このコントローラユニット７０の構成について、図３を参照しつつ説明する。図３は、温水洗浄便座２１０の制御部を示すブロック図である。コントローラユニット７０は、プログラムに従って各種演算処理を実行するためのＣＰＵ８１を中心に、バス８８により相互に接続された次の各部を備えている。ＲＯＭ８２は、ＣＰＵ８１での各種演算処理の実行に必要なプログラムやデータ等を予め格納するメモリである。ＲＡＭ８３は、ＣＰＵ８１で各種演算処理を実行するのに必要な各種データを一時的に格納するためのメモリである。バックアップＲＡＭ８４は、記憶された温水洗浄便座１０の非通電状態においてもデータを保持する、データの書き込みや記憶が可能なメモリである。
【００３９】
入力処理回路は、リモコン装置７１若しくは本体操作部４０に設けられた操作ボタン７１ａ〜ｏの操作に基づく信号や着座センサ４１等の各センサからの検出信号を入力し、ＣＰＵ８１の処理可能な信号に変換する。出力処理回路は、入力信号を受け取ったＣＰＵ８１での演算結果に応じ、上記の６つの各ユニット５４，５９，６８，５８，４９，３９や，便座暖房装置７５，表示装置７８，外部出力コネクタ７９に信号を出力する。以上説明した各部を備えることにより、コントローラユニット７０は、温水洗浄便座２１０の動作を制御する。
【００４０】
なお、第１実施例では、後述する収納ケース２１６の小型化に伴い、上記の各ユニットを、収納ケース２１６内に収納可能に小型化している。
【００４１】
リモコン装置７１について、図３を参照しつつ簡単に説明する。本実施例では、局部の洗浄を開始するためのお尻洗浄ボタン７１ａやビデ洗浄ボタン７１ｂ、温風の吹き出しを開始するための乾燥ボタン７１ｄ、停止ボタン７１ｃ、水勢に強弱の変化をつけた洗浄水の噴出を設定するマッサージ設定ボタン７１ｅ、洗浄ノズル６９を揺動させた局部の洗浄を設定するムーブ設定ボタン７１ｆ、洗浄水の温度を調節する吐水温設定ボタン７１ｈ、水勢の強弱を設定する水勢設定ボタン７１ｇ、洗浄ノズル６９の位置を前後方向へ移動するノズル位置調節ボタン７１ｉ、脱臭状態を設定する脱臭ボタン７１ｉ、温風の温度を調節する温風温度設定ボタン７１ｊ、便座温度を調節する便座温度設定ボタン７１ｋ、室内暖房のオン，オフを設定する室内暖房ボタン７１ｍ、便座ヒータや室内暖房ヒータへの通電時期を設定するタイマ予約ボタン７１ｎ、温水洗浄便座全体の運転状態を設定する運転入／切ボタン７１ｏ等を設けている。これらの操作ボタンが操作されると、リモコンから送信された動作信号を、後述する便座・便蓋支持体２１７上に設けられた受信部２２２ｃが受信する。コントローラユニット７０は、受信部２２２ｃでの受信内容を認識し、熱交換器ユニット５９等の各ユニットに動作信号を送出する。
【００４２】
以上のように構成された温水洗浄便座２１０の便器本体への取付け方法について図４および図５を参照しつつ説明する。図４に示すように、温水洗浄便座２１０は、便器への装着部材として、収納ケース２１６の底面と嵌合して温水洗浄便座２１０を固定するベースプレート７４、ベースプレート７４を便器本体に取り付けるための取付用ボルト７７、取付用ボルト７７の抜けを防止するためのゴムブッシュ７９等を備える。ベースプレート７４は、便器のリム後方よりも若干幅狭に形成された金属板である。
【００４３】
図４に示すように、ベースプレート７４上には、便座取付用穴９９の位置や大きさに対応して、３種類のボルト挿入口７５ａ，７５ｂ，７５ｃが形成されており、このうち、ボルト挿入口７５ｃにはキャップ７６が着脱可能に嵌合されている。このように３種類の挿入口７５ａ，７５ｂ，７５ｃを形成することで、便器の種類によって便座取付用穴９９の位置や大きさ等が異なる場合にも温水洗浄便座２１０を装着可能としている。
【００４４】
勿論、このような構成に代えて他の構成、例えば、ベースプレート７４の裏側に縦横方向に通る溝を設けておき、この溝に取付用ボルト７７の頭部を嵌め込むような構成を採用してもよい。この構成によれば、取付用ボルト７７を溝に沿って移動させて、取付用ボルト７７の位置を便座取付用穴９９の位置に合わせることにより、温水洗浄便座２１０を前後方向の所望の位置に設置することができる。
【００４５】
以上のように構成されたベースプレート７４、取付用ボルト７７やゴムブッシュ７９等を用いて、以下の要領で温水洗浄便座の便器本体への取付けを行なう。この様子を図５に示す。まず、便器本体の便座取付用穴９９にゴムブッシュ７９を差し込み、ベースプレート７４をリム後方に乗せて便座取付用穴９９とボルト挿入口７５との位置を合わせる。次に、ボルト挿入口７５に、座金７８を介して取付用ボルト７７を差し込んで締め付ける。これによって、取付用ボルト７７がゴムブッシュ７９下端のナットと螺合し、取付用ボルト７７の締め付けに伴ってナットが持ち上げられて、便器本体にベースプレート７４が固定される。次に、リム上面に沿って、便器の奥行き方向に温水洗浄便座をスライドさせ、収納ケース２１６の底面に設けられた溝をベースプレート７４に嵌め込む。すると、着脱用レバー３４がロックされて、便器本体に温水洗浄便座２１０が固定される。
【００４６】
次に、第１実施例の温水洗浄便座２１０が備える特徴的な構成につき、図１，図６ないし図１６に基づいて説明する。まず、便蓋２１２，便座２１４を軸支する収納ケース２１６の基本的な構成につき、図１，図９を参照しつつ簡単に説明する。図９は、収納ケース２１６の外観を表わす斜視図である。
【００４７】
図１および図９に示すように、収納ケース２１６は、下ケース２１６ａと上ケース２１６ｂとを組み合わせることにより構成されている。従って、この分割された２つのケース２１６ａ，２１６ｂのうちのいずれかのケースの形状を変更することにより、多種多様な形状の便器への装着が可能となる。
【００４８】
上ケース２１６ｂは、その前面側に、なだらかな傾斜の傾斜面２１６ｃを有し、この傾斜面２１６ｃは、下向きの傾斜を有しつつ、便座２１４中央の開口部の後端付近まで前方に延出している。
【００４９】
傾斜面２１６ｃの中央付近には、傾斜面２１６ｃから上方に突出した形状の便座・便蓋支持体２１７を備える。この便座・便蓋支持体２１７に、便蓋２１２，便座２１４が回転可能に軸支される。この便座・便蓋支持体２１７は、上ケース２１６ｂと同一の材料を用いて上ケース２１６ｂと一体に形成される。勿論、便座・便蓋支持体２１７を収納ケース２１６とは別部材として形成し、傾斜面２１６ｃに後から装着する構成としても差し支えない。
【００５０】
便座・便蓋支持体２１７は、その頂上部に円弧形状の曲面部２１７ｂを備える。この曲面部２１７ｂは、便蓋２１２並びに便座２１４の回転中心軸Ｐと同心の円弧形状に形成されている。この曲面部２１７ｂは、図１に示すように、便蓋２１２，便座２１４を閉じた状態において、左右の便蓋支持部２１２ｂ，便座支持部２１４ｂの間から露出している。
【００５１】
次に、便座２１４の外観を図６に示す。図６に示すように、便座２１４は、便器のリム部上縁に重なる座部２１４ａ、座部２１４ａから上方へ湾曲しつつ後方に延出した斜面部２１４ｃ、斜面部２１４ｃの左右から斜め上後方に延出した便座支持部２１４ｂを有する。この便座支持部２１４ｂと便座・便蓋支持体２１７とを、後述する回転軸部材２４０で嵌合することにより、便座２１４の開閉が可能となる。なお、便座支持部２１４ｂの頂上部は、便蓋２１２並びに便座２１４の回転中心軸Ｐと同心の円弧形状に形成されている。
【００５２】
一方、斜面部２１４ｃは、左右の便座支持部２１４ｂの間においては後方に延出されず、この左右の便座支持部２１４ｂの間は、斜面形状に形成された端面２１４ｄとされている。このため、図６に示すように、左右の便座支持部２１４ｂの内側面と端面２１４ｄにより、略コの字型の抉り部が形成されている。この抉り部の抉り深さは、便座・便蓋支持体２１７の高さに対応して設けられており、これにより、便座２１４の開閉時における便座２１４と便座・便蓋支持体２１７との干渉が防止される。
【００５３】
便蓋２１２の外観を図７に示す。図７に示すように、便蓋２１２は、便器の鉢部を塞ぐ蓋部分２１２ａ、蓋部分２１２ａから上方へ湾曲しつつ後方に延出した斜面部２１２ｃを備える。蓋部分２１２ａから斜面部２１２ｃにかけての曲率は、座部２１４ａから斜面部２１４ｃにかけての曲率とほぼ同じ値とされている。このため、便蓋２１２および便座２１４を開いたときの便座２１４の自立性能が確保される。また、重ね合わせた便蓋２１２と便座２１４との間には、シャープな接合線が生成されるので、デザイン的にも良好となる。
【００５４】
また、便蓋２１２は、斜面部２１２ｃの左端および右端から後方に延出した便蓋支持部２１２ｂを有する。この便蓋支持部２１２ｂと便座・便蓋支持体２１７とを、後述する回転軸部材２４０で嵌合することにより、便蓋２１２の開閉が可能となる。なお、便蓋支持部２１２ｂの頂上部は、便蓋２１２並びに便座２１４の回転中心軸Ｐと同心の円弧形状に形成されている。
【００５５】
一方、斜面部２１２ｃは、左右の便蓋支持部２１２ｂの間においては後方に延出されず、この左右の便蓋支持部２１２ｂの間は、斜面形状に形成された端面２１２ｄとされている。このため、図７に示すように、左右の便蓋支持部２１２ｂの内側面と端面２１２ｄにより、略コの字型の抉り部が形成されている。この抉り部の抉り深さは、便座・便蓋支持体２１７の高さに対応して設けられており、これにより、便蓋２１２の開閉時における便蓋２１２と便座・便蓋支持体２１７との干渉が防止される。
【００５６】
便蓋２１２および便座２１４を閉じた状態における、便座支持部２１４ｂおよび便蓋支持部２１２ｂと収納ケース２１６との納まり関係について説明する。円弧形状に形成された便座支持部２１４ｂの頂上部と便蓋支持部２１２ｂの頂上部と便座・便蓋支持体２１７上を覆うカバー２１８の表面とは、ほぼ同一の曲面とされている（図１を参照）。従って、便蓋２１２および便座２１４を閉じた状態において、便蓋支持部２１２ｂと便座支持部２１４ｂとカバー２１８の上面との間には大きな段差がないので、便蓋支持部２１２ｂからカバー２１８にかけての範囲を一気に拭くことができ、便蓋２１２および便座２１４の軸支部位付近の清掃が容易となる。勿論、カバー２１８を用いない場合には、便座・便蓋支持体２１７の表面と便座支持部２１４ｂの頂上部と便蓋支持部２１２ｂの頂上部とを、ほぼ同一の曲面とすることもできる。
【００５７】
温水洗浄便座２１０の上面，底面を表わす図８（Ａ），図８（Ｂ）に示すように、便蓋２１２，便座２１４を閉じた状態においては、収納ケース２１６の側面と便座２１４および便蓋２１２の側面とは、前後方向および上下方向に連続したほぼフラットな面とされている。即ち、回転軸部材２４０等の便座２１４や便蓋２１２を軸支するための部材は、収納ケース２１６や便座２１４，便蓋２１２の左右の側面から突出せず、収納ケース２１６や便座２１４，便蓋２１２の外部に露出していない。このため、温水洗浄便座全体として一体感のある美しいデザインが保たれている。
【００５８】
また、温水洗浄便座２１０の幅は、図８（Ａ），図８（Ｂ）に示すように、便蓋２１２および便座２１４の後部から収納ケース２１６の後端につれて、だんだんと狭くなっている。従って、便器の後方のリム部が、便器の左右から内側方向に張り出しているような便器であっても、便器と干渉することなく良好に装着することができる。
【００５９】
なお、図８（Ａ）に示すように、第１実施例では、便蓋支持部２１２ｂに対して便座支持部２１４ｂを小さく形成し、便蓋２１２，便座２１４を閉じた状態において、便座支持部２１４ｂが外部に露出するよう構成する。この便座支持部２１４ｂを露出しない構成とすることも可能である。例えば、便蓋支持部２１２ｂから便座支持部２１４ｂにかけて延出するカバー部を設けるとともに、このカバー部を、便蓋支持部２１２ｂから連続した円弧形状に形成し、カバー部が便座２１４の便座支持部２１４ｂを上方から覆うように構成してもよい。こうすれば、便座２１４および便蓋２１２を閉じた状態において、便座支持部２１４ｂが外部から見えず、温水洗浄便座２１０のデザインが一層良好なものとなる。
【００６０】
次に、収納ケース２１６の詳細な構成につき、図９および図１０を参照しつつ説明する。図９に示すように、便座・便蓋支持体２１７の左右両端面には、後述する回転軸部材２４０を挿入可能な径の孔である嵌合孔２１７ａが形成されている。この左右の嵌合孔２１７ａに嵌合された回転軸部材２４０を便座２１４および便蓋２１２と嵌合することにより、便座２１４および便蓋２１２は上下に回転可能となる。
【００６１】
便座・便蓋支持体２１７の曲面部２１７ｂには、左側に、便器前方での使用者の起立もしくは着座を検出する人体検出センサ２２２ａ，人体検出センサ２２２ａとリモコンからの信号（例えば、赤外領域の光信号）を受光する受信部２２２ｃという各種の機能部が設けられている。また、曲面部２１７ｂの右側には、局部洗浄の動作状態や設定状態を表示する表示部２２２ｂという機能部が設けられている。
【００６２】
表示部２２２ｂは、曲面部２１７ｂの内部にＬＥＤ等の発光デバイスを組み込むことにより構成されている。表示部２２２ｂには、「運転」，「温水」，「着座」，「節電」という各項目に対応して４つの表示箇所が設けられている。リモコンの運転入／切ボタン７１ｎにより「入」が設定された場合には、「運転」という項目に対応する表示箇所が点灯する。同様に、温水の吐出がオン状態に設定されている場合、着座を検知した
場合、節電モードに設定された場合には、それぞれ、「温水」、「着座」、「節電」という各項目に対応する表示箇所が点灯する。
【００６３】
人体検出センサ２２２ａ，受信部２２２ｃ表示部２２２ｂという各種の機能部が設けられた曲面部２１７ｂは、曲面部２１７ｂに対して着脱自在に装着されたカバー２１８によって覆われている。このカバー２１８は、ポリプロピレン等の光透過性の高い樹脂で形成されている。従って、人体検出センサ２２２ａや受信部２２２ｃの受光状態を悪化させることがなく、また、表示部２２２ｂからの発光状態の視認性を悪化させることもない。
【００６４】
カバー２１８の形状は、曲面部２１７ｂに倣った曲面形状、即ち、便蓋２１２並びに便座２１４の回転中心軸Ｐと同心の円弧形状であり、カバー２１８の外側の円弧は、便座支持部２１４ｂおよび便蓋支持部２１２ｂの頂上部の円弧と略同径となるように形成されている。このカバー２１８により、人体検出センサ２２２ａ等の水濡れ等に伴う機器の損傷を回避することができる。また、カバー２１８を曲面部２１７ｂに対して着脱自在としたことにより、カバーの破損に伴う交換が容易となる。
【００６５】
なお、第１実施例では、便座・便蓋支持体２１７に、人体検出センサ２２２ａ，受信部２２２ｃ，表示部２２２ｂを設置するが、これ以外の機能部や表示部を、便座・便蓋支持体２１７や傾斜面２１６ｃに設置してもよい。例えば、収納ケース２１６内の温風ファンと管路で接続された開口を設け、便座２１４に着座した使用者の背中に向けて温風を吹き出す構成としても差し支えない。
【００６６】
収納ケース２１６の側面形状を図１０に示す。収納ケース２１６の高さｈは、最も高い位置である便座・便蓋支持体２１７の頂部において９５ｍｍの高さに形成されており、設置に伴う省スペース化や軽量化を実現するシンプルなフォルムとされている。また、収納ケース２１６の右側の側面には、お尻洗浄等の主要な機能の実行を指示するための本体操作部４０を、前述したリモコン装置７１とは別に設けている。
【００６７】
図１０に示すように、第１実施例では、左右の嵌合孔２１７ａの中心である回転中心軸Ｐを、収納ケース２１６の最大高さｈの中点Ｔよりも上側に設ける。このため、便蓋２１２，便座２１４を開閉すると、便蓋２１２，便座２１４は、収納ケース２１６の側面や傾斜面２１６ｃの上方の部分のみを通過する。従って、収納ケース２１６の側面や傾斜面２１６ｃの下方の領域は、便蓋２１２，便座２１４の開閉動作の影響を受けないので、この下方の領域を利用して種々の部品を設けることができる。例えば、給水アダプタ５３や便座暖房用のコード等の収納ケース２１６から所定の長さだけ突出して設けられる部品を、便蓋２１２，便座２１４の開閉動作に干渉することなく設けることが可能となる。また、収納ケース２１６の上側に回転軸部材２４０等の軸支部材が設けられるので、軸支部材と干渉しない収納ケース２１６の側面の下方に、本体操作部４０を大きな範囲で設置することができる。また、収納ケース２１６の両側面の下方には軸支部材が存在しないので、収納ケース２１６の両側面の下方を両手で持ちやすくなり、温水洗浄便座２１０を容易に移動させることができる。従って、温水洗浄便座２１０の装着時における作業性が飛躍的に向上する。
【００６８】
また、回転中心軸Ｐから便座・便蓋支持体２１７の外法までの距離ｒは、便蓋２１２，便座２１４の開閉の際に端面２１２ｄ，端面２１４ｄが便座・便蓋支持体２１７の上方を通過する範囲（図１０において斜線で示した範囲）において、約１８ｍｍという小さな値とされている。
【００６９】
便座２１４および便蓋２１２と収納ケース２１６との装着部位の様子を図１１に示す。図１１に示すように、回転軸部材２４０は、中心軸２４０ａと、この中心軸２４０ａに装着される２つの回転軸（第１回転軸２４０ｂおよび第２回転軸２４０ｃ）から構成されている。中心軸２４０ａに装着された第１回転軸２４０ｂ，第２回転軸２４０ｃは、中心軸２４０ａと同じ軸心を有する。従って、第１回転軸２４０ｂ，第２回転軸２４０ｃは、ともに軸線Ｊ−Ｊを回転中心とし、この軸線Ｊ−Ｊの周りに回転可能となる。
【００７０】
一方、便蓋２１２の便蓋支持部２１２ｂは、円柱状に厚肉形成された肉厚端部２１２ｆに、回転軸部材２４０の第２回転軸２４０ｃと略同径で非貫通の嵌合孔２１２ｇを備える。また、便座２１４の便座支持部２１４ｂは、その中央を貫通する、回転軸部材２４０の第１回転軸２４０ｂと略同径の嵌合孔２１４ｋを備える。
【００７１】
なお、第２回転軸２４０ｃないし嵌合孔２１２ｇの直径寸法や肉厚端部２１２ｆの厚みは、まず、便蓋支持部２１２ｂの後端から軸線Ｊ−Ｊ´までの距離ｆを約１８ｍｍとした上で、この距離ｆに適合するように定められる。また、第１回転軸２４０ｂないし嵌合孔２１４ｋの直径寸法や便座支持部２１４ｂの厚みは、まず、便座支持部２１４ｂの後端から軸線Ｊ−Ｊ´までの距離ｅを約１６ｍｍとした上で、この距離ｅに適合するように定められる。
【００７２】
便座・便蓋支持体２１７の嵌合孔２１７ａには、回転軸部材２４０の中心軸２４０ａが嵌合され、中心軸２４０ａに装着された第１回転軸２４０ｂ，第２回転軸２４０ｃには、便座支持部２１４ｂの嵌合孔２１４ｋ，便蓋支持部２１２ｂの嵌合孔２１２ｇがそれぞれ嵌合される。これにより、便蓋２１２，便座２１４は、便座・便蓋支持体２１７に支持されるとともに、それぞれ第２回転軸２４０ｃ，第１回転軸２４０ｂの回転により、上下に開閉可能とされる。この開閉の際、第１回転軸２４０ｂ，第２回転軸２４０ｃは、ともに中心軸２４０ａの軸心を中心として回転する。このため、便蓋２１２並びに便座２１４の回転中心軸Ｐは、中心軸２４０ａの軸心となる。
【００７３】
なお、第１実施例では、便蓋２１２や便座２１４を閉じたときの第１回転軸２４０ｂや第２回転軸２４０ｃの回転速度を、回転の進行に伴って遅くする機構（以下、ソフト開閉機構という）を、回転軸部材２４０に内蔵する。このソフト開閉機構は、第１回転軸２４０ｂおよび第２回転軸２４０ｃの内部に設けられたスプリングにより、第１回転軸２４０ｂおよび第２回転軸２４０ｃに対して抵抗をかけ、回転動作にブレーキをかけることにより実現されている。これにより、便器の近傍付近においては、便蓋２１２や便座２１４の閉止速度が遅くなり、便蓋２１２や便座２１４の取扱いが簡便なものとなる。
【００７４】
便座・便蓋支持体２１７により支持された状態の便蓋２１２，便座２１４の断面を図１２に示す。この図１２においては、便蓋２１２の断面を実線で、便座２１４および収納ケース２１６の断面を二点鎖線で表わしている。図１２に示すように、便蓋２１２の嵌合孔２１２ｇには、回転軸部材２４０の第２回転軸２４０ｃが、中心軸２４０ａの軸心（即ち、便蓋２１２の回転中心軸Ｐ）を回転中心として嵌合されている。この状態において、便蓋２１２の端面２１２ｄと便座・便蓋支持体２１７の曲面部２１７ｂ上に装着されたカバー２１８（図示せず）との間には、約１ｍｍ程度のクリアランスが形成されている。
【００７５】
また、便座２１４の嵌合孔２１４ｋには、第２回転軸２４０ｃの内側の第１回転軸２４０ｂが、中心軸２４０ａの軸心（即ち、便座２１４の回転中心軸Ｐ）を回転中心として嵌合されている。この状態において、便座２１４の端面２１４ｄと便座・便蓋支持体２１７の曲面部２１７ｂ上に装着されたカバー２１８（図示せず）との間には、約２ｍｍ程度のクリアランスが形成されている。
【００７６】
曲面部２１７ｂの頂上部に装着されたカバー２１８の形状と便蓋支持部２１２ｂの頂上部の形状は、ともに、便蓋２１２並びに便座２１４の回転中心軸Ｐと同心の円弧形状であり、カバー２１８の外側の円弧は、便座支持部２１４ｂの頂上部の円弧と略同径となるように形成されている。このため、カバー２１８と左右の便蓋支持部２１２ｂ，便座支持部２１４ｂとは、同じ円弧形状を有し、しかも同面に納まる。従って、部材同士の連続性や一体性が確保され、温水洗浄便座全体としての美感が確保される。
【００７７】
このように便座・便蓋支持体２１７に支持された便蓋２１２や便座２１４を開閉したときの様子を、図１３および図１４を参照しつつ説明する。図１３は、便蓋２１２が開状態にある場合の概略斜視図である。便蓋２１２の回転に伴って、端面２１２ｄは、回転中心軸Ｐを中心とした円弧軌跡を描きながら、曲面部２１７ｂ上のカバー２１８との所定のクリアランスを保持しつつ、カバー２１８の周囲を回転移動する。
【００７８】
図１３に示すように、便蓋２１２を開けた状態においても、左右の便蓋支持部２１２ｂ，便座支持部２１４ｂの間からは、便座・便蓋支持体２１７のカバー２１８で覆われた部分が露出している。
【００７９】
また、便蓋２１２のみを開けた状態において、円弧形状の便蓋支持部２１２ｂ，便座支持部２１４ｂの頂上部と便座・便蓋支持体２１７上を覆うカバー２１８の表面とは、ほぼ同一の曲面とされている。従って、便蓋２１２のみを開けた状態においても、便蓋支持部２１２ｂと便座支持部２１４ｂとカバー２１８の上面との間には大きな段差がなく、便蓋２１２および便座２１４の軸支部位付近の清掃が容易となる。勿論、カバー２１８を用いない場合には、便座支持部２１４ｂの頂上部と便座・便蓋支持体２１７の表面とを、ほぼ同一の曲面とすることもできる。
【００８０】
さらに、便座２１４を開くと、便座２１４は、便蓋２１２と共通の回転中心軸Ｐを中心として回転する。このため、便座２１４の端面２１４ｄは、便座２１４の回転に伴い、カバー２１８の周囲を、カバー２１８との所定のクリアランスを保持しつつ移動する。本実施例では、端面２１４ｄとカバー２１８とのクリアランスを、端面２１２ｄとカバー２１８とのクリアランスよりも若干大きく設定している。
【００８１】
図１４に示すように、便蓋２１２および便座２１４を開けた状態においても、便座・便蓋支持体２１７のカバー２１８で覆われた部分が、左右の便蓋支持部２１２ｂ，便座支持部２１４ｂの間から露出している。つまり、第１実施例では、便座・便蓋支持体２１７の曲面部２１７ｂが、便座２１４や便蓋２１２の開閉状態に拘わらず露出する構成となっており、曲面部２１７ｂに設けられた人体検出センサ２２２ａや受信部２２２ｃ，表示部２２２ｂの状態を、カバー２１８越しに常に確認することができる。
【００８２】
また、便座２１４を開くと、便座２１４の斜面部２１４ｃに覆われていた上ケース２１６ｂの傾斜面２１６ｃが外部に露出する。なお、第１実施例では、便座２１４を閉じた状態では、便座２１４が傾斜面２１６ｃの全部を覆っており、傾斜面２１６ｃが全く見えない構成としているが、便座２１４を閉じた状態において傾斜面２１６ｃの一部が露出しており、便座２１４を開くとともに傾斜面２１６ｃの全部が露出する構成としてもよい。
【００８３】
このように、曲面部２１７ｂとカバー２１８の形状を、便蓋２１２および便座２１４の回転中心軸Ｐを中心とした円弧形状としたことにより、便蓋２１２および便座２１４の開閉時におけるカバー２１８や曲面部２１７ｂとの干渉を簡単かつ確実に回避することができる。例えば、嵌合孔２１７ａの位置を、便蓋２１２および便座２１４の開閉の際に端面２１２ｄおよび端面２１４ｄが干渉しない位置にずらしたり、端面２１２ｄおよび端面２１４ｄの形状を、便蓋２１２および便座２１４の開閉の際にカバー２１８と干渉しない形状に加工したりする必要がない。
【００８４】
次に、便蓋２１２，便座２１４の回転中心軸Ｐの位置について、図１５および図１６を参照しつつ説明する。図１５は、便器９８に装着された状態の温水洗浄便座２１０について、便蓋２１２および便座２１４の回転中心軸Ｐ付近の縦断面を示す説明図である。この図１５においては、便器９８および便座２１４の断面を実線で、便蓋２１２および収納ケース２１６の断面を二点鎖線で表わしている。
【００８５】
図１５に示すように、便座取付用穴９９付近に取り付けられたベースプレート７４には、収納ケース２１６の底面に設けられた溝が嵌め込まれ、これにより温水洗浄便座２１０が便器９８に固定されている。このように固定された状態において、便蓋２１２および便座２１４の回転中心軸Ｐは、便器９８のリム面９８ａから大きく離間しない位置であって、しかも、便座取付用穴９９の位置する便器９８の後方寄りの位置に設けられている。
【００８６】
また、図１５に示す状態において、回転中心軸Ｐから便座２１４の後端Ｒまでの点ＰＲ間の距離、回転中心軸Ｐから便蓋２１２の後端Ｑまでの点ＰＱ間の距離は、それぞれ図１１に示した便座支持部２１４ｂの後端から軸線Ｊ−Ｊ´までの距離ｅ、便蓋支持部２１２ｂの後端から軸線Ｊ−Ｊ´までの距離ｆに相当する。従って、点ＰＲ間の距離，点ＰＱ間の距離は、それぞれ約１８ｍｍ，約１６ｍｍという小さな値となる。
【００８７】
便座取付用穴９９と回転中心軸Ｐとの位置関係を図１６のグラフに示す。図１６は、図１５における便座取付用穴９９の位置を原点Ｏとし、原点Ｏからの水平距離をＸ軸、原点Ｏからの垂直距離をＹ軸にとったグラフであり、このグラフ上に回転中心軸Ｐの位置を座標として示している。即ち、このグラフにおいて、Ｘ軸は、回転中心軸Ｐの便座取付用穴９９からの水平距離を、Ｙ軸は、回転中心軸Ｐのリム面９８ａからの高さを、それぞれ意味する。この水平距離や高さについては、単位ｍｍを用いて表わし、Ｘ座標の右方向は便器９８の前方を、Ｙ座標の上方向は便器９８の上方を、それぞれ示す。
【００８８】
第１実施例の温水洗浄便座２１０では、図１６に示すように、便蓋２１２および便座２１４の回転中心軸Ｐを、便座取付用穴９９から便器の水平前方に向かって４２ｍｍ、便座取付用穴９９から鉛直上方に向かって６０ｍｍの位置に設けている。
【００８９】
このように構成された温水洗浄便座２１０を便器９８に装着し、便蓋２１２や便座２１４を開閉したときの様子を、図１７ないし図１９に示す。なお、図１７ないし図１９に示す例では、ベースプレート７４上の３種類のボルト挿入口７５ａ，７５ｂ，７５ｃのうち、後方寄りの穴であるボルト挿入口７５ｃのキャップ７６を外し、このボルト挿入口７５ｃに取付用ボルト７７を差し込んで、温水洗浄便座２１０を便器９８に固定している。
【００９０】
図１７に示した便座２１４および便蓋２１２を閉じた状態から便蓋２１２を開けると、便蓋２１２が回転中心軸Ｐを軸として回転し、便蓋２１２の先端が洗浄タンク９１に当接する。この状態を図１８に示す。便蓋２１２は、リム面９８から６０ｍｍという低い高さの回転中心軸Ｐを軸として回転する。このため、図１８に示すように、便蓋２１２の先端は、洗浄タンク９１の上端よりも低い位置において、洗浄タンク９１の前面に当接している。
【００９１】
便座２１４，便蓋２１２の回転中心軸Ｐは、便座取付用穴９９から水平方向に４２ｍｍという便器９８の後方寄りに位置するため、回転中心軸Ｐからリム面９８ａの先端までの距離は長く確保され、この距離の範囲をカバーするように便座２１４，便蓋２１２が設けられる。このため、便座２１４の着座可能領域は、図１８に示すように、広く確保されている。
【００９２】
便蓋２１２や便座２１４の回転中心軸Ｐ，即ち、回転軸部材２４０の軸心は便器９８の後方寄りに位置するため、この回転軸部材２４０が嵌合される収納ケース２１６の位置も、便器９８の後方寄りとなる。従って、図１８に示すように、収納ケース２１６の前端は、鉢部９４の後端よりも前方に進出せず、装着された収納ケース２１６が鉢部９４の後部を覆ってしまうことがない。
【００９３】
加えて、前述したように、収納ケース２１６は、閉状態の便座２１４の下側を潜りながら、便座２１４中央の開口部の後端まで、前方に延出している。つまり、図１８において、便座２１４中央の開口部の後端と収納ケース２１６の前端と鉢部９４の後端とは、ほぼ同一の鉛直線上に配置されている。この結果、便座２１４の開口部として刳り抜かれた領域は、収納ケース２１６の前端に遮られることなく、等しく下方の鉢部９４に臨む。このように、便蓋２１２のみを開いたときにおける便器９８の鉢部９４の有効領域は、広く確保されている。
【００９４】
図１８に示した状態から便座２１４を開けると、便座２１４は、回転中心軸Ｐを軸として回転し、開状態の便蓋２１２に重なる。この状態を図１９に示す。便座２１４は、リム面９８から６０ｍｍという低い高さの回転中心軸Ｐを軸として回転する。このため、図１９に示すように、開状態の便座２１４の先端の位置
は、便蓋２１２の先端と同様に、洗浄タンク９１の上端よりも低い位置となる。
【００９５】
また、前述したように、収納ケース２１６の前端は、鉢部９４の後端よりも前方に進出せず、装着された収納ケース２１６が鉢部９４の後部を覆ってしまうことがない。従って、便蓋２１２，便座２１４の双方を開いたときにおいても、便器９８の鉢部９４の有効領域は、広く確保されている。
【００９６】
以上説明したように、第１実施例の温水洗浄便座２１０は、便蓋２１２および便座２１４の回転中心軸Ｐを、便座取付用穴９９から便器の水平前方に向かって４２ｍｍという、便器９８の後方寄りの位置に設ける。従って、便座２１４の着座可能領域を広く確保して、着座時における安定感を良好なものとすることができる。
【００９７】
さらに、第１実施例の温水洗浄便座２１０は、便蓋２１２および便座２１４の回転中心軸Ｐを、便座取付用穴９９から鉛直上方に向かって６０ｍｍという低い高さの位置に設けたので、開状態における便蓋２１２や便座２１４の先端の位置は、洗浄タンク９１の上端よりも低い位置となる。従って、開けた便座２１４や便蓋２１２が、洗浄タンク９１の上部に設けられた手洗用吐水管９２ないし吐水口９２ａを覆ってしまうことがなく、手洗いをスムーズに行なうことができる。
【００９８】
また、第１実施例では、便座２１４中央の開口部の後端と収納ケース２１６の前端と鉢部９４の後端とを、ほぼ同一の鉛直線上に配置する。従って、便蓋２１２や便座２１４を開いたときにおける便器９８の鉢部９４の有効領域を広く確保することが可能となり、用便時における収納ケース２１６への汚れの付着を防止することができる。
【００９９】
更に、第１実施例では、回転中心軸Ｐを便器９８の後方寄りとするに伴って、後方にずれた分だけ便蓋２１２，便座２１４の奥行きを大きく形成している。従って、小さな便蓋や便座の付いた温水洗浄便座を無理に後方にずらして設置した場合と比較して、用便時における便座２１４や便器９８への汚れの付着を効果的に防止することができる。
【０１００】
第１実施例の温水洗浄便座２１０は、便座２１４を閉じた状態において、便座２１４が、前方に延出する収納ケース２１６の傾斜面２１６ｃを覆う。このため、局部に当たって跳ね返った洗浄水が収納ケース２１６に直接当たることがない。従って、収納ケース２１６が汚れることを防止できるほか、収納ケース２１６内に収納された各種の機能部品を水から保護することができる。
【０１０１】
なお、前述したように、第１実施例では、収納ケース２１６の高さｈを９５ｍｍの高さとして、収納ケース２１６を小型化し、この収納ケース２１６内に熱交換器ユニット５９等の機能部品を収納する。一方、このように収納ケース２１６の高さを低くしつつも、第１実施例では、収納ケース２１６の先端を、便座２１４の軸支位置よりも前方に、便座２１４中央の開口部の後端付近まで延出する。この延出により、便座２１４の軸支位置から便座２１４中央の開口部の後端付近までの範囲に、収納空間が形成される。従って、この収納空間を機能部品の収納スペースとして活用すれば、高さの低い収納ケース２１６であっても、より多くの機能部品を収納することが可能となる。
【０１０２】
また、第１実施例の温水洗浄便座２１０は、各種のユニットを収納する収納ケース２１６を、最も高い位置において９５ｍｍという低い高さで形成している。従って、収納ケース２１６の上面を便座２１４や便蓋２１２が通過することを考慮して、左右の便座支持部２１４ｂ，便蓋支持部２１２ｂに挟まれた端面２１４ｄ，端面２１４ｄを、深く抉り取った形状に成形する必要がない。この結果、便座２１４や便蓋２１２の成形が容易となり、便座２１４や便蓋２１２と収納ケース２１６との取り合い部分における清掃性を高めることができる。なお、ケースの全高を９５ｍｍ未満とすれば、便座２１４や便蓋２１２の抉り部の大きさをさらに小さくすることが可能となる。
【０１０３】
さらに、便座２１４および便蓋２１２の回転中心軸Ｐから便座・便蓋支持体２１７の外法までの距離ｒを、便蓋２１２，便座２１４の開閉の際に端面２１２ｄ，端面２１４ｄが便座・便蓋支持体２１７の上方を通過する範囲において、約１８ｍｍという小さな値とする。従って、便座２１４や便蓋２１２を、回転中心軸Ｐの軸線から前方に約１８ｍｍだけ抉り取った形状に成形すれば、便座２１４や便蓋２１２の回動の際における便座・便蓋支持体２１７との干渉を防ぐことが可能となり、便座２１４や便蓋２１２を抉り取る範囲を最小限に抑えることができる。なお、上記の回転中心軸Ｐから便座・便蓋支持体２１７の外法までの距離ｒを、上記の端面２１２ｄ，端面２１４ｄが通過する範囲において、３５ｍｍ以下の値とすれば、便座２１４や便蓋２１２を抉り取る範囲を従来よりも小さくすることが可能となる。
【０１０４】
また、第１実施例では、回転中心軸Ｐから便蓋２１２の後端Ｒまでの距離，回転中心軸Ｐから便座２１４の後端Ｑまでの距離を、それぞれ約１８ｍｍ，約１６ｍｍという小さな値とする。このため、便座２１４や便蓋２１２は、回転中心軸Ｐよりも後方に、従来よりも短い長さで突出する。従って、便座２１４や便蓋２１２の回転の際に、便座２１４や便蓋２１２の回転中心軸Ｐよりも後方に突出した部分が収納ケース２１６の前面や上面に当たることが防止され、便座２１４や便蓋２１２のスムーズな回動が確保される。また、このような収納ケース２１６との干渉を防止するために、収納ケース２１６を特殊な形状とする必要がなく、収納ケース２１６の成形が容易となる。なお、上記の回転中心軸Ｐから便蓋２１２の後端Ｒまでの距離や回転中心軸Ｐから便座２１４の後端Ｑまでの距離を４０ｍｍ以下の値とすれば、回転中心軸Ｐより後方への突出長が従来よりも短くなり、上記と同等の効果を得ることができる。
【０１０５】
第１実施例の温水洗浄便座２１０においては、収納ケース２１６の側面と便座２１４および便蓋２１２の側面とを、前後方向および上下方向に連続したほぼフラットな面に形成し、回転軸部材２４０を、収納ケース２１６，便座２１４および便蓋２１２の側面に露出しないように配設する。従って、横幅の狭いスペースにも設置が可能となる。また、収納ケース２１６の側面に設けられた本体操作部４０を操作する際、回転軸部材２４０が操作の邪魔にならないので、操作をスムーズに行なうことができる。
【０１０６】
また、回転軸部材２４０を構成する便座２１４に嵌合される第１回転軸２４０ｂ，便蓋２１２に嵌合される第２回転軸２４０ｃは、ともに同じ軸心を有し、便座２１４および便蓋２１２は、ともに共通の回転中心軸Ｐを中心として回転する。このため、便座２１４および便蓋２１２は、開閉時に同じ回転軌跡を描く。従って、便座２１４および便蓋２１２が閉じた状態から一度に便座２１４および便蓋２１２の双方を開けようとする場合において、便座２１４を小さな力で持ち上げるだけで、便座２１４および便蓋２１２の双方をスムーズに開けることができる。
【０１０７】
なお、第１実施例の温水洗浄便座２１０では、便座２１４を収納ケース２１６の内側および外側に向かって軸支する。即ち、温水洗浄便座２１０の上面を表わす図２０に示すように、便座・便蓋支持体２１７の左右両端面の回転軸部材２４０は、円筒状に形成された便座支持部２１４ｂの嵌合孔２１４ｋを貫通しており、便座２１４は、収納ケース２１６の内側および外側の両方向に向かって回転軸部材２４０に軸支されている。また、第１実施例の温水洗浄便座２１０では、便蓋２１２を収納ケース２１６の内側に向かって軸支する。即ち、回転軸部材２４０は、便座支持部２１４ｂの嵌合孔２１４ｋを貫通した後、便蓋支持部２１２ｂの嵌合孔２１２ｇに嵌合しており、便蓋２１２は、収納ケース２１６の内側に向かって回転軸部材２４０に軸支されている。
【０１０８】
便蓋２１２，便座２１４が回転軸部材２４０に軸支される方向は、上記の第１実施例における方向に限らず、これ以外の方向としても差し支えない。例えば、図２１は、便蓋２１２を収納ケース２１６の内側および外側に向かって軸支し、便座２１４を収納ケース２１６の内側に向かって軸支する変形例を示す。即ち、図２１に示すように、便座・便蓋支持体２１７の左右両端面の回転軸部材２４０は、円筒状に形成された便蓋支持部２１２ｂａの嵌合孔２１２ｇａを貫通し、この後、便座支持部２１４ｂａの嵌合孔２１４ｋａに嵌合している。
【０１０９】
このように、便蓋２１２や便座２１４を、収納ケース２１６の内側に向かって軸支することにより、回転中心軸Ｐを便器の後方寄りに設けた分だけ便蓋２１２や便座２１４の大きさを大きくした場合であっても、軸支された便蓋２１２や便座２１４に十分な強度を確保することができる。また、便蓋２１２や便座２１４を外すためには大きな動きが必要となるので、通常の開閉動作の際に誤って外れてしまうという不具合を回避することができる。
【０１１０】
また、図２２は、便蓋２１２および便座２１４を収納ケース２１６の外側に向かって軸支する変形例を示す。即ち、図２２に示すように、収納ケース２１６ｐの左右から内側方向に延出した２本の回転軸部材２４０ｐは、便蓋支持部２１２ｂｐの嵌合孔２１２ｇｐに嵌合している。この回転軸部材２４０ｐの直下においては、図示しない２本の回転軸部材が、収納ケース２１６ｐの左右から内側方向に延出しており、この２本の回転軸部材に便座支持部の嵌合孔が嵌合している。即ち、便蓋２１２，便座２１４は、それぞれ、収納ケース２１６ｐの外側に向かって回転軸部材に軸支されている。
【０１１１】
このように、便蓋２１２や便座２１４を、収納ケース２１６の外側に向かって軸支することにより、回転中心軸Ｐが低い位置にあるにも拘わらず、収納ケース２１６内の左右の空間に、熱交換器ユニット５９等の各ユニットを配置するスペースＳＰを大きくとることが可能となる。このスペースＳＰの範囲を、斜線を用いて図２２に示す。また、回転中心軸Ｐを便器の後方寄りに設けた分だけ便座２１４や便蓋２１２の大きさを大きくした場合であっても、便座２１４や便蓋２１２を小さな動きで簡単に外すことができる。この結果、清掃時における便座２１４や便蓋２１２の着脱がスムーズとなる。
【０１１２】
次に、本発明の第２実施例について説明する。図２３は、第２実施例としての温水洗浄便座１０の外観を表わす斜視図である。図２３に示すように、温水洗浄便座１０は、第１実施例の温水洗浄便座２１０とほぼ同様の構成を採る。即ち、温水洗浄便座１０は、便座１２、便蓋１４、上ケース１６ａと下ケース１６ｂに分割された収納ケース１６等を有し、この収納ケース１６内に熱交換器ユニット５９等の各ユニットを収納する。また、温水洗浄便座１０は、図２で説明したと同様の各機能部や図３で説明したと同様の各制御部を備えている。便器本体への取付け方法についても、第１実施例の温水洗浄便座２１０とほぼ同様である。
【０１１３】
温水洗浄便座１０の形状について説明する。図２３に示すように、温水洗浄便座１０では、収納ケース１６の側面と便座１２および便蓋１４の側面とを、前後方向および上下方向に連続したほぼフラットな面に形成し、ヒンジ軸２６，２８を、収納ケース１６の側面に露出しないように配設する。従って、横幅の狭いスペースにも設置が可能となる。
【０１１４】
収納ケース１６の高さは、最も高い位置で１４０ｍｍの高さとなるように形成されており、収納ケース１６の左右の袖部１６ｋにおいても１４０ｍｍの高さとされている。この袖部１６ｋの高さに対応して、便座１２および便蓋１４は、左右の袖部１６ｋに臨む後方の部分が抉り取られた形状に成形されている。また、温水洗浄便座１０の上面を表わした図２４に示すように、温水洗浄便座１０の横幅は、便蓋１４および便座１２の後部から収納ケース１６の後端につれて、だんだんと狭くなっている。
【０１１５】
一方、第２実施例の温水洗浄便座１０は、便座１２，便蓋１４を収納ケース１６に軸支する態様に
関し、以下の三つの点で、第１実施例の温水洗浄便座２１０と異なる。即ち、第一の相違点は、便座１２，便蓋１４を別々の回転軸を用いて軸支する点であり、第二の相違点は、便座１２および便蓋１４を収納ケース１６の外側に向かって軸支する点である。第三の相違点は、便座１２，便蓋１４の回転中心軸と便座取付用穴９９との位置関係が異なる点である。以下、これらの点について説明する。
【０１１６】
まず、第一および第二の相違点について、図２５を参照しつつ説明する。図２５は、便座１２および便蓋１４を取り付けるヒンジ部の構造を示す説明図である。図２５に示すように、上ケース１６ａの中央には、便座１２および便蓋１４を収納ケース１６に連接する空間であるヒンジチャンバ１６ｐが形成されている。勿論、収納ケース１６の前面が下ケース１６ｂの一部となるように下ケース１６ｂを成形し、下ケース１６ｂにヒンジチャンバ１６ｐを形成する構成としても差し支えない。
【０１１７】
便座１２および便蓋１４は、その後方端部に、収納ケース１６への連接部としてのヒンジブロック１２ａ，１４ａを備える。このヒンジブロック１２ａ，１４ａの内部には、便座１２および便蓋１４を閉じるときに抵抗を与えて緩やかに動作させるための開閉ユニット２２，２４が組み込まれている。
【０１１８】
ヒンジブロック１２ａ，１４ａの右端面には、外側方向に突き出る円形断面のピン１２ｂ，１４ｂが、開閉ユニット２２，２４の回転軸との同軸上に設けられている。一方、ヒンジブロック１２ａ，１４ａの左端面の開閉ユニット２２，２４側には、ピン１２ｂ，１４ｂと同軸となるように、外側方向に突き出る四角形断面のヒンジ軸２６，２８を設ける。
【０１１９】
ヒンジチャンバ１６ｐは、便座１２および便蓋１４のヒンジブロック１２ａ，１４ａを収納してこれらの回転動作を許容する大きさを有する。このヒンジチャンバ１６ｐの間口方向の両端の内壁には、縦方向に装着溝１６ｑが形成されている。装着溝１６ｑは、後述するリテーナブロック３０を収納ケース１６に装着するために設けられた溝である。この装着溝１６ｑの下端部分にはスリット１６ｒが設けられており、このスリット１６ｒによってリテーナブロック３０が着脱可能に拘束される。
【０１２０】
リテーナブロック３０は、便座１２および便蓋１４を収納ケース１６に連接するための一対の部材であり、その下端部に弾性変形可能な爪３０ａを備えている。更に、右側のリテーナブロック３０には、便座１２のピン１２ｂおよび便蓋１４のピン１４ｂを挿入してこれらを回転自在に支持するための支持孔３０ｂ，３０ｃが設けられている。また、左側のリテーナブロック３０には、便座１２および便蓋１４用のそれぞれの開閉ユニット２２，２４から突き出したヒンジ軸２６，２８を嵌合してこれらを固定する固定孔３０ｄ，３０ｅを開ける。固定孔３０ｄ，３０ｅは、ヒンジ軸２６，２８と同様に四角形の開口断面を有する。
【０１２１】
以上の構成において、収納ケース１６への便座１２及び便蓋１４の装着は以下の要領で行なう。まず、便座１２及び便蓋１４のそれぞれの開閉ユニット２２，２４にヒンジ軸２６，２８を差し込み、内部の抵抗機構にこれらを連結する。次いで、一方のリテーナブロック３０の支持孔３０ｂ，３０ｃにそれぞれ便座１２及び便蓋１４のピン１２ｂ，１４ｂを差し込むと同時に、ヒンジ軸２６，２８を固定孔３０ｄ，３０ｅに嵌め込む。即ち、便座１２及び便蓋１４は、リテーナブロック３０を介し、収納ケース１６の外側に向かって収納ケース１６に軸支される。
【０１２２】
これにより、便座１２と便蓋１４は２個のリテーナブロック３０によって一体化され、便座１２のヒンジブロック１２ａが下側に、便蓋１４のヒンジブロック１４ａが上側に、２段配置として組み合せられる。即ち、便座１２と便蓋１４とは、別々のヒンジ軸２６，２８を用いて収納ケース１６に軸支される。
【０１２３】
更に、図２５に示すように、左右のリテーナブロック３０及びヒンジブロック１２ａ，１４ａをヒンジチャンバ１６ｐの中に落とし込み、リテーナブロック３０を装着溝１６ｑの中に嵌め込む。そして、リテーナブロック３０を最も下まで押し込むと、これと同時に爪３０ａがスリット１６ｒの中に入り込んで係合し、リテーナブロック３０はヒンジチャンバ１６ｐの中に強固に固定される。
【０１２４】
以上の要領で便蓋１４および便座１２が収納ケース１６に組み付けられる。便蓋１４や便座１２が開閉されたとき、ヒンジ軸２８，２６はリテーナブロック３０の固定孔３０ｅ，３０ｄに拘束されているので、これらのヒンジ軸２８，２６は回転せず、ヒンジ軸２８，２６をそれぞれ回転中心軸Ｐ１，Ｐ２として、開閉ユニット２４，２２がヒンジ軸２８，２６の周りを回動し、便蓋１４と便座１２とは姿勢を変えることになる。
【０１２５】
次に、第三の相違点について、図２６および図２７を参照しつつ説明する。図２６は、便器９８に装着された状態の温水洗浄便座１０の右側面を示す説明図である。図２６に示すように、便座取付用穴９９付近に取り付けられたベースプレート７４には、収納ケース１６の底面に設けられた溝が嵌め込まれ、これにより温水洗浄便座１０が便器９８に固定されている。このように固定された状態において、便蓋１４の回転中心軸Ｐ１，便座１２の回転中心軸Ｐ２は、便器９８のリム面９８ａから大きく離間しない位置であって、しかも、便座取付用穴９９の位置する便器９８の後方寄りの位置に設けられている。
【０１２６】
便座取付用穴９９と回転中心軸Ｐ１，Ｐ２との位置関係を図２７のグラフに示す。図２７は、図２６における便座取付用穴９９の位置を原点Ｏとし、原点Ｏからの水平距離をＸ軸、原点Ｏからの垂直距離をＹ軸にとったグラフであり、このグラフ上に回転中心軸Ｐ１，Ｐ２の位置を座標として示している。即ち、このグラフにおいて、Ｘ軸は、回転中心軸Ｐ１，Ｐ２の便座取付用穴９９からの水平距離を、Ｙ軸は、回転中心軸Ｐ１，Ｐ２のリム面９８ａからの高さを、それぞれ意味する。この水平距離や高さについては、単位ｍｍを用いて表わし、Ｘ座標の右方向は便器９８の前方を、Ｙ座標の上方向は便器９８の上方を、それぞれ示す。
【０１２７】
第２実施例の温水洗浄便座１０では、図２７に示すように、便蓋１４の回転中心軸Ｐ１を、便座取付用穴９９から便器の水平前方に向かって３２ｍｍ、便座取付用穴９９から鉛直上方に向かって１２５ｍｍの位置に設けている。また、便座１２の回転中心軸Ｐ２については、便座取付用穴９９から便器の水平前方に向かって４２ｍｍ、便座取付用穴９９から鉛直上方に向かって１１５ｍｍの位置に設けている。
【０１２８】
このように構成された温水洗浄便座１０を、第１実施例と同様に便器９８に装着し、便蓋１４や便座１２を開閉したときの様子を、図２８ないし図３０に示す。なお、図２８ないし図３０に示す例では、ベースプレート７４上の３種類のボルト挿入口７５ａ，７５ｂ，７５ｃのうち、後方寄りの穴であるボルト挿入口７５ｃのキャップ７６を外し、このボルト挿入口７５ｃに取付用ボルト７７を差し込んで、温水洗浄便座１０を便器９８に固定している。
【０１２９】
図２８に示した便座１２および便蓋１４を閉じた状態から便蓋２１２を開けると、便蓋１４が回転中心軸Ｐ１を軸として回転し、便蓋１４の先端が洗浄タンク９１に当接する。この状態を図２９に示す。便蓋１４は、リム面９８から１２５ｍｍという、第１実施例よりもやや高い位置に設けられた回転中心軸Ｐ１を軸として回転する。このため、図２９に示すように、便蓋１４の先端は、図１８に示した便蓋２１２の先端位置よりもやや高い位置、即ち、洗浄タンク９１の上端の位置において、洗浄タンク９１の前面に当接している。
【０１３０】
便蓋１４の回転中心軸Ｐ２は、便座取付用穴９９から水平方向に４２ｍｍという、第１実施例の回転中心軸Ｐと同じ水平位置に設けられている。従って、回転中心軸Ｐ２からリム面９８ａの先端までの距離は、第１実施例の場合と同様に確保され、この距離の範囲をカバーするように便座１２が設けられる。このため、便座１２の着座可能領域は、図２９に示すように、広く確保されている。
【０１３１】
便蓋１４，便座１２の回転中心軸Ｐ１，Ｐ２、即ち、ヒンジ軸２８，２６の軸心は便器９８の後方寄りとされるため、このヒンジ軸２８，２６がリテーナブロック３０を介して固定される収納ケース１６の位置も、便器９８の後方寄りとなる。従って、図２９に示すように、収納ケース１６の前端は、鉢部９４の後端よりも前方に進出せず、装着された収納ケース１６が鉢部９４の後部を覆ってしまうことがなく、便蓋１４のみを開いたときにおける便器９８の鉢部９４の有効領域は、広く確保されている。
【０１３２】
図２９に示した状態から便座１２を開けると、便座１２は、回転中心軸Ｐ２を軸として回転し、開状態の便蓋１４に重なる。この状態を図３０に示す。便座１２は、リム面９８から１１５ｍｍという、回転中心軸Ｐ１よりもやや低い高さの回転中心軸Ｐ２を軸として回転し、開状態の便座１２の先端は、図３０に示すように、便蓋１４の先端とほぼ同じ高さとなる。
【０１３３】
また、前述したように、収納ケース１６の前端は、鉢部９４の後端よりも前方に進出せず、装着された収納ケース１６が鉢部９４の後部を覆ってしまうことがない。従って、便蓋１４，便座１２の双方を開いたとき、便器９８の鉢部９４の有効領域は、広く確保されている。
【０１３４】
以上説明したように、第２実施例の温水洗浄便座１０では、便蓋１４，便座１２の回転中心軸Ｐ１，Ｐ２を、第１実施例における回転中心軸Ｐよりも、それぞれ６０ｍｍ，５０ｍｍだけ高い位置に設けるが、このような位置に回転中心軸Ｐ１，Ｐ２を設けた場合であっても、開状態における便蓋１４や便座１２の先端は、洗浄タンク９１の上端とほぼ同じ高さに止まる。従って、開けた便座１２や便蓋１４が、洗浄タンク９１の上部に設けられた手洗用吐水管９２ないし吐水口９２ａを覆ってしまうことがなく、手洗いをスムーズに行なうことができる。
【０１３５】
また、回転中心軸Ｐ１，Ｐ２の便座取付用穴９９からの水平位置に関しては、便座１２の回転中心軸Ｐ２を第１実施例における回転中心軸Ｐと同じ位置に、便蓋１４の回転中心軸Ｐ１を第１実施例における回転中心軸Ｐよりも更に便器９８の後方寄りの位置に、それぞれ設ける。従って、第１実施例の温水洗浄便座２１０と同様に、着座時における安定感を良好とし、用便時における便座１２や便器９８への汚れの付着を防止することができる。
【０１３６】
なお、第２実施例の温水洗浄便座１０では、収納ケース１６の高さを、最も高い位置において、リム面９８ａから回転中心軸Ｐ１，Ｐ２までの高さよりも僅かに高い１４０ｍｍという値で形成する。従って、収納ケース１６の上面を便座１２や便蓋１４が通過することを考慮して、便座１２や便蓋１４の形状を、回転軸側で深く抉り取った形状とする必要がない。この結果、便座１２や便蓋１４の成形が容易となる。なお、ケースの全高を１４０ｍｍ以下とすれば、便座１２や便蓋１４の抉り部の大きさをさらに小さくすることが可能となる。
【０１３７】
以上、第２実施例について説明した。なお、上記の第１実施例，第２実施例において採用した回転中心軸Ｐ，Ｐ１，Ｐ２の便座取付用穴９９からの位置の値は、上記のような数値に限定されるものではなく、便座取付用穴９９を基準として便器９８の後方寄りかつ低い高さとなる値であればよい。具体的には、水平方向に関しては、便座取付用穴９９から便器の前方に向かって４２ｍｍ以下の位置に、高さ方向に関しては、便座取付用穴９９から上方に向かって１２５ｍｍ以下の位置に、回転中心軸Ｐ，Ｐ１，Ｐ２を設ける構成とすれば、上記した第１実施例、第２実施例と同様の効果を実現することができる。
【０１３８】
まず、水平方向の位置の範囲に関して説明する。鉢部９４の後端から便座取付用穴９９までの距離は、便器の種類に応じて任意に定めることが可能である。この距離が短い便器に対し、図１７ないし図１９，図２８ないし図３０と同じ位置に温水洗浄便座２１０，１０を装着した場合を想定する。なお、このような位置に温水洗浄便座２１０，１０を装着するためには、ベースプレート７４上の３種類のボルト挿入口７５ａ，７５ｂ，７５ｃのうち、前方寄りの穴であるボルト挿入口７５ｂに取付用ボルト７７を差し込んで、温水洗浄便座２１０，１０を便器９８に固定すればよい。
【０１３９】
上記のような便器に対して温水洗浄便座２１０，１０を装着した場合、回転中心軸Ｐ，Ｐ１，Ｐ２と便座取付用穴９９との相対位置が変化し、収納ケース２１６，１６のより前側の位置に便座取付用穴９９が位置する状態となる。この状態においては、便座取付用穴９９から回転中心軸Ｐまでの距離は、便器の前方に向かって４２ｍｍよりも小さな値となる。鉢部９４の後端に直近の後方に便座取付用穴９９を設けたような場合には、この距離は、「便器の後方に向かって１０ｍｍ」のようなマイナスの値となる。
【０１４０】
一方、装着された温水洗浄便座２１０，１０と便器やタンクとの位置関係は、図１７ないし図１９，図２８ないし図３０に示した位置関係と同じである。従って、便蓋２１２，１４や便座２１４，１２を開けると、便蓋２１２，１４や便座２１４，１２の先端は、図１８，図２９や図１９，図３０に示した例と同じ位置、即ち、洗浄タンク９１の上端以下の位置に配置される。つまり、便座取付用穴９９から回転中心軸Ｐ，Ｐ１，Ｐ２までの水平距離の値が、便器の前方に向かって４２ｍｍ以下の範囲で変化しても、便蓋２１２，１４や便座２１４，１２を開けたときの先端の位置には影響しない。
【０１４１】
一方、装着された温水洗浄便座２１０，１０と便器やタンクとの位置関係は、図１７ないし図１９，図２８ないし図３０に示した位置関係と同じである。従って、便蓋２１２，１４や便座２１４，１２を開けると、便蓋２１２，１４や便座２１４，１２の先端は、図１８，図２９や図１９，図３０に示した例と同じ位置、即ち、洗浄タンク９１の上端以下の位置に配置される。つまり、便座取付用穴９９から回転中心軸Ｐ，Ｐ１，Ｐ２までの水平距離の値が、便器の前方に向かって４２ｍｍ以下の範囲で変化しても、便蓋２１２，１４や便座２１４，１２を開けたときの先端の位置には影響しない。
【０１４２】
また、高さ方向に関しては、便座取付用穴９９から上方に向かって１２５ｍｍ以下の位置に、回転中心軸Ｐ，Ｐ１，Ｐ２を設ける構成とすればよい。回転中心軸Ｐ，Ｐ１，Ｐ２の便座取付用穴９９からの高さをより低くすれば、低くした分だけ便蓋２１２，１４や便座２１４，１２を開けたときの便蓋２１２，１４や便座２１４，１２の先端位置は、図１８，図２９や図１９，図３０に示した例の場合よりも低くなる。従って、便蓋２１２，１４や便座２１４，１２が前方から吐水口９２ａを覆い隠すことがない。
【０１４３】
例えば、収納ケース２１６，１６の高さをより低くすれば、低くした分だけ便座・便蓋支持体２１７の嵌合孔２１７ａや装着溝１６ｑの位置も低くなり、回転中心軸Ｐ，Ｐ１，Ｐ２の高さをより低くすることができる。この収納ケース２１６，１６の高さをより低くする方法としては、例えば、熱交換器ユニット５９等の各ユニットを更に小型化する方法や、これらの各ユニットの一部を、便座２１４，１２や温水洗浄便座２１０，１０の外部に設ける方法等を考えることができる。また、実行可能な機能から脱臭機能や乾燥機能，室内暖房機能等の一部の機能を除外して、脱臭ユニット４９や温風ユニット５８，室内暖房ユニット３９等を収納ケース２１６，１６内から除去するとともに、これらの除去により空いたスペースに他のユニットを有効に配置することにより収納ケース２１６，１６の厚みを薄くすることも考えられる。
【０１４４】
この他、収納ケース２１６内を、左部，中央部，右部という３つの領域に分割し、中央部に熱交換器ユニット５９等の各ユニットを、左部および右部に回転軸部材２４０をそれぞれ配置する構成とすれば、収納ケース２１６の上面よりも上方に回転軸部材２４０を設ける場合と比較して、回転中心軸Ｐの高さをより低くすることができる。
【０１４５】
また、洗浄タンク９１の前面から便器９８のリム面９８ａの先端までの長さ（以下、取り付け有効長という）は、便器の種類に応じて異なっており、上記の図１７ないし図１９、図２８ないし図３０では、取り付け有効長が約５５０ｍｍの値である大型サイズの便器に温水洗浄便座２１０，１０を装着した場合を例として説明している。
【０１４６】
ここで、より取り付け有効長の短い通常サイズの便器に対し、上記の温水洗浄便座２１０，１０を装着した場合を想定する。この場合において、温水洗浄便座２１０，１０は、便座２１４，１２の先端と便器の先端とが合わさるように装着されるので、温水洗浄便座２１０，１０は、上記の図１７ないし図１９、図２８ないし図３０に表わした位置よりも便器の後方寄りの位置に設置される。このため、回転中心軸Ｐ，Ｐ１，Ｐ２の位置は、図１７ないし図１９、図２８ないし図３０に表わした位置から便座取付用穴９９に近づく方向に移動し、より便器の後方寄りに位置することになる。従って、便座取付用穴９９から回転中心軸Ｐ，Ｐ１，Ｐ２までの距離は、便器の前方に向かって４２ｍｍよりも小さな値となる。回転中心軸Ｐ，Ｐ１，Ｐ２の位置が便座取付用穴９９よりも更に後方にまでずれた場合には、便座取付用穴９９から回転中心軸Ｐ，Ｐ１，Ｐ２までの距離は、「便器の後方に向かって１０ｍｍ」のようなマイナスの値となる。
【０１４７】
このような場合においても、回転中心軸Ｐ，Ｐ１，Ｐ２の便座取付用穴９９からの高さは、図１７ないし図１９、図２８ないし図３０に表わした位置とほぼ同じ高さとなる。従って、便蓋２１２，１４や便座２１４，１２を開けると、便蓋２１２，１４や便座２１４，１２の先端は、図１８，図２９や図１９，図３０に示した例とほぼ同じ位置、即ち、洗浄タンク９１の上端以下の位置に配置される。つまり、装着される便器の取り付け有効長の値によって、便座取付用穴９９から回転中心軸Ｐ，Ｐ１，Ｐ２までの水平距離の値が、便器の前方に向かって４２ｍｍ以下の範囲で変化しても、便蓋２１２，１４や便座２１４，１２を開けたときの先端の位置には影響しない。便座取付用穴９９から上方に向かって１２５ｍｍ以下の位置に回転中心軸Ｐ，Ｐ１，Ｐ２を設けている限り、開いた状態の便蓋２１２，１４や便座２１４，１２が前方から吐水口９２ａを覆い隠してしまうことはないのである。
【０１４８】
以上より、便蓋２１２，１４および便座２１４，１２の回転中心軸Ｐ，Ｐ１，Ｐ２を、便座取付用穴９９から便器の水平前方に向かって４２ｍｍ以下、便座取付用穴９９から鉛直上方に向かって１２５ｍｍ以下の位置に設ければ、手洗用吐水管９２との干渉を生じさせることなく、着座から用便，手洗いという一連の動作を通じて使い勝手のよい温水洗浄便座２１０，１０を実現することが可能となる。この回転中心軸Ｐ，Ｐ１，Ｐ２の設置範囲を、図１６および図２７のグラフ中に斜線部分を用いて示した。
【０１４９】
以上、本発明の実施の形態を、第１実施例，第２実施例を用いて説明した。なお、上記の各実施例においては、収納ケース１６，２１６を上下２つに分割するが、このような構成に限るものではなく、分割しないものであってもよい。また、左右に分割したり、３つ以上の部材に分割するものであってもよい。
【０１５０】
また、便蓋を、便蓋を閉めた状態において、収納ケースの上面および便座の上面の全範囲を覆うように構成することも可能である。この構成を図３１に示す。図３１は、第１実施例の温水洗浄便座２１０から便蓋２１２の形状を変更することにより構成された温水洗浄便座４１０の側面を示す説明図である。図３１に示すように、閉じた状態の便蓋４１２は、上方から収納ケース４１６と便座４１４をすっぽり覆っている。便蓋４１２と便座４１４は、ともに共通の回転中心軸Ｐ４を中心として回転可能に構成され、回転中心軸Ｐ４は、便座取付用穴９９から便器の水平前方に向かって４２ｍｍ以下、便座取付用穴９９から鉛直上方に向かって１２５ｍｍ以下の位置に設けられている。このような便蓋４１２とすれば、便座４１４と収納ケース４１６とが軸支されている部分や、便座４１４の裏面と収納ケース４１６の表面との間に埃や水等が入り込むことを防止できるので、汚れにくい温水洗浄便座を提供することができ、清掃の頻度が格段に減少する。
【０１５１】
なお、上記の各実施例では、便座取付用穴９９の位置を基準として、便座や便蓋の回転中心軸の位置を定めているが、便座取付用穴９９を利用せずに装着される温水洗浄便座の場合には、温水洗浄便座が装着される便器上の任意の位置を選択し、この位置を基準として便座や便蓋の回転中心軸の位置を定めることも可能である。例えば、便器の便座取付用穴９９に相当する位置に温水洗浄便座装着用の係止部材が設けられている場合には、この係止部材と温水洗浄便座との係止点を基準として、便座や便蓋の回転中心軸の位置を定めればよい。
【０１５２】
なお、便座の着座面積を広く取りつつ、便蓋および便座を開いたときに便蓋および便座の先端が洗浄タンクの上端に配置されるようにするためには、温水洗浄便座を便器に装着した場合において、便蓋や便座の回転中心軸から便器の先端までの距離と、便蓋や便座の回転中心軸から洗浄タンクの上端までの距離とが一致すればよい。これらの値が一致する場合には、回転中心軸を中心とした円弧軌跡上に、便器の先端および洗浄タンクの前面の上端の双方が位置することになるからである。
【０１５３】
そこで、便器の先端および洗浄タンクの前面の上端の双方を通過する円弧軌跡の中心位置、即ち、便蓋や便座の回転中心軸の理想的な位置を、いわゆるロータンク密結型の洗浄タンクが組み付けられた便器に温水洗浄便座を装着する場合を例として、以下の条件の下で検証した。まず、便座取付用穴から便器の先端までの距離を約４７０ｍｍという値とした。また、洗浄タンクを便器に組み付けた状態において、洗浄タンクの前面から便座取付用穴までの距離を約８０ｍｍという値とし、リム面から洗浄タンクの前面の上端までの高さを約４８５ｍｍという値とした。さらに、便座や便蓋の先端の位置に関しては、便座の先端は、便器のリム面の先端から鉛直上方に約２０ｍｍの位置に配置され、便蓋の先端は、便器のリム面の先端から鉛直上方に約５０ｍｍの位置に配置されるものと仮定した。このような条件下での検証の結果、便蓋や便座の回転中心軸の理想的な位置を求める以下の算式を導き出すことができた。
【０１５４】
便座取付用穴から回転中心軸Ｐまでの水平距離をｍ、便座取付用穴から回転中心軸Ｐまでの垂直距離をｎとした場合、
理想的な便蓋の回転中心軸Ｐｆ（ｍ，ｎ）は、
ｎ＝１．２６ｍ＋２０．９
理想的な便座の回転中心軸Ｐｚ（ｍ，ｎ）は、
ｎ＝１．１８ｍ＋２１．９
となる。
【０１５５】
このような理想的な回転中心軸Ｐｆ，Ｐｚの値の範囲を、図３２のグラフに示す。図３２は、上記の検証に用いた便器の便座取付用穴の位置を原点Ｏとし、原点Ｏからの水平距離をｍ軸、原点Ｏからの垂直距離をｎ軸にとったグラフである。即ち、このグラフにおいて、ｍ軸は、回転中心軸Ｐの便座取付用穴からの水平距離を、ｎ軸は、回転中心軸Ｐのリム面からの高さを、それぞれ意味する。この水平距離や高さについては、単位ｍｍを用いて表わし、ｍ座標の右方向は便器の前方を、ｎ座標の上方向は便器の上方を、それぞれ示す。
【０１５６】
以上の数式ないしグラフを用いれば、便座取付用穴からの水平距離若しくは便座取付用穴からの高さのうちのいずれかの値を任意に定めることにより、便蓋や便座の理想的な回転中心軸の位置を求めることが可能となる。例えば、上記の検証にて用いた便器セットについて、装着される温水洗浄便座について便座の回転中心軸をリム面から５０ｍｍの高さとしたい場合には、上記の理想的な回転中心軸Ｐｚを求める数式に「ｎ＝５０」という値を代入することにより、ｍの値が２４ｍｍと求められる。従って、便座取付用穴からの高さが５０ｍｍの位置であって、便座取付用穴から水平前方に向かって２４ｍｍの位置に便座の回転中心軸を設ければ、便座を閉じたときには、便座への着座面積が広く確保され、便座を開いたときには、開状態の便座の先端がタンク上部での手洗いの邪魔をすることがない。
【０１５７】
また、便蓋と便座との回転中心軸を同一としたい場合には、図３２の２つの線グラフの交点Ｇの座標を求め、この座標の位置に回転中心軸を設ければ良い。例えば、図３２に示した例の場合には、交点Ｇの座標は（ｍ，ｎ）＝（１２．５，３６．７）であるから、便座取付用穴から水平前方に向かって１２．５ｍｍの位置であって、便座取付用穴からの高さが３６．７ｍｍの位置に便座の回転中心軸を設ければ、便座への着座面積は、リム面の奥行きに対応して広く確保され、便座を開いたときには、開状態の便座の先端がタンク上部での手洗いの邪魔をすることがない。このように、便蓋と便座との回転中心軸を同一とする場合においても、理想的な回転中心軸の位置を簡単に求めることができる。
【０１５８】
さらに、図３２に示した２つの線グラフよりも、ｎの値が小さくなる範囲に回転中心軸を設ければ、少なくとも、便座や便蓋を開いたときに、開いた状態の便座や便蓋の先端がタンク上部の手洗吐水管と干渉するのを防止することができる。かかる範囲においては、便座や便蓋の回転中心軸から洗浄タンクの前面の上端までの距離が、より長くなるからである。この範囲を、図３２に、便蓋については白色の矢印で、便蓋については黒色の矢印で、それぞれ示した。また、この範囲を前記した数式で表わすと以下のような式となる。
【０１５９】
手洗吐水管と干渉しない便蓋の回転中心軸Ｐｆ（ｍ，ｎ）の範囲は、
ｎ≦１．２６ｍ＋２０．９
手洗吐水管と干渉しない便座の回転中心軸Ｐｚ（ｍ，ｎ）の範囲は、
ｎ≦１．１８ｍ＋２１．９
【０１６０】
以上本発明の実施例である温水洗浄便座２１０，１０について説明したが、本発明はこうした実施例に何等限定されるものではなく、本発明の要旨を逸脱しない範囲内において種々なる様態で実施し得ることは勿論である。例えば、上記実施例の温水洗浄便座２１０，１０を便器および洗浄タンクを有する便器セットに取り付けた便所装置としての態様で、本発明を実施することもできる。
【０１６１】
特に、洗浄機能や乾燥機能等が予め便器セットに組み込まれているいわゆる一体型の衛生洗浄装置においては、便座，便蓋や各種の制御ユニットが組み付けられたタンクに取付けボルト等を装着しておき、この取付けボルトを便器部分に開口された取付穴に差し込むことにより、組み立てられる場合がある。このような場合には、組み立て後における便座や便蓋の回転中心を、取付穴の位置を基準として上記の値の範囲内に位置するように構成すれば、一体型の衛生洗浄装置においても、上記実施例と同様の効果を簡単に得ることができる。
【０１６２】
また、洗浄水タンクをキャビネット内に隠蔽しつつ、このキャビネットの前面に便器を、上面に手洗い器を設ける、いわゆるトイレユニットとしての態様で、本発明を実施することも可能である。
【図面の簡単な説明】
【０１６３】
【図１】本発明の第１実施例である温水洗浄便座２１０の外観を表わす説明図である。
【図２】温水洗浄便座２１０内の水の流れを示すブロック図である。
【図３】温水洗浄便座２１０の制御部を示すブロック図である。
【図４】ベースプレート７４の外観を表わす説明図である。
【図５】温水洗浄便座の取付け方法を示す説明図である。
【図６】便座２１４の概略斜視図である。
【図７】便蓋２１２の概略斜視図である。
【図８】温水洗浄便座２１０の上面および底面を表わす説明図である。
【図９】温水洗浄便座２１０における収納ケース２１６の概略斜視図である。
【図１０】収納ケース２１６の側面図である。
【図１１】便座２１４および便蓋２１２と便座・便蓋支持体２１７との装着部位の様子を示す説明図である。
【図１２】便座・便蓋支持体２１７により支持された状態の便蓋２１２，便座２１４の断面を示す説明図である。
【図１３】便蓋２１２が開状態にある場合の概略斜視図である。
【図１４】便蓋２１２と共に便座２１４が開状態にある場合の概略斜視図である。
【図１５】便器９８に装着された状態の温水洗浄便座２１０について、便蓋２１２および便座２１４の回転中心軸Ｐ付近の縦断面を示す説明図である。
【図１６】便座取付用穴９９と回転中心軸Ｐとの位置関係を示すグラフである。
【図１７】回転中心軸Ｐが（４２，６０）という座標位置である場合において、便座２１４および便蓋２１２を閉じた状態を示す説明図である。
【図１８】上記の回転中心軸Ｐの座標位置において、便蓋２１２のみを開いた状態を示す説明図である。
【図１９】上記の回転中心軸Ｐの座標位置において、便座２１４および便蓋２１２を開いた状態を示す説明図である。
【図２０】第１実施例において、便蓋２１２，便座２１４が収納ケース２１６に軸支される態様を示す説明図である。
【図２１】便蓋２１２を収納ケース２１６の内側および外側に向かって軸支し、便座２１４を収納ケース２１６の内側に向かって軸支した変形例を示す説明図である。
【図２２】便蓋２１２および便座２１４を収納ケース２１６の外側に向かって軸支した変形例を示す説明図である。
【図２３】本発明の第２実施例である温水洗浄便座１０の外観を表わす説明図である。
【図２４】本発明の第２実施例である温水洗浄便座１０の外観を表わす説明図である。
【図２５】便座１２および便蓋１４を取り付けるヒンジ部の構造を示す説明図である。
【図２６】便器９８に装着された状態の温水洗浄便座１０の右側面を示す説明図である。
【図２７】便座取付用穴９９と回転中心軸Ｐ１，Ｐ２との位置関係を示すグラフである。
【図２８】回転中心軸Ｐ１，Ｐ２が、それぞれ（３２，１２５），（４２，１１５）という座標位置である場合において、便蓋１４および便座１２を閉じた状態を示す説明図である。
【図２９】上記の回転中心軸Ｐ１，Ｐ２の座標位置において、便蓋１４のみを開いた状態を示す説明図である。
【図３０】上記の回転中心軸Ｐ１，Ｐ２の座標位置において、便蓋１４および便座１２を開いた状態を示す説明図である。
【図３１】第１実施例の温水洗浄便座２１０から便蓋２１２の形状を変更して構成された温水洗浄便座４１０の側面を示す説明図である。
【図３２】便蓋，便座の理想的な回転中心軸Ｐｆ，Ｐｚの値の範囲を示すグラフである。
【図３３】回転軸Ｚが上方に設けられた温水洗浄便座を便器に装着したときの様子を、第一の従来例として示す説明図である。
【図３４】第一の従来例において、便蓋および便座を開いた状態を示す説明図である。
【図３５】回転軸Ｚが前方に設けられた温水洗浄便座を便器に装着したときの様子を、第二の従来例として示す説明図である。
【図３６】第二の従来例において、便蓋のみを開いた状態を示す説明図である。
【符号の説明】
【０１６４】
１０…温水洗浄便座（局部洗浄装置）
１２…便座
１４…便蓋
６９…洗浄ノズル（吐水機構）
９１…洗浄タンク
９２…手洗用吐水管
９８…便器
９９…便座取付用穴（取付孔）
２１６…収納ケース
２１７…便座・便蓋支持体
４１０…温水洗浄便座（局部洗浄装置）
４１２…便蓋
４１４…便座
４１６…収納ケース
【図１】
2006070699.tif 000003
【図２】
2006070699.tif 000004
【図３】
2006070699.tif 000005
【図４】
2006070699.tif 000006
【図５】
2006070699.tif 000007
【図６】
2006070699.tif 000008
【図７】
2006070699.tif 000009
【図８】
2006070699.tif 000010
【図９】
2006070699.tif 000011
【図１０】
2006070699.tif 000012
【図１１】
2006070699.tif 000013
【図１２】
2006070699.tif 000014
【図１３】
2006070699.tif 000015
【図１４】
2006070699.tif 000016
【図１５】
2006070699.tif 000017
【図１６】
2006070699.tif 000018
【図１７】
2006070699.tif 000019
【図１８】
2006070699.tif 000020
【図１９】
2006070699.tif 000021
【図２０】
2006070699.tif 000022
【図２１】
2006070699.tif 000023
【図２２】
2006070699.tif 000024
【図２３】
2006070699.tif 000025
【図２４】
2006070699.tif 000026
【図２５】
2006070699.tif 000027
【図２６】
2006070699.tif 000028
【図２７】
2006070699.tif 000029
【図２８】
2006070699.tif 000030
【図２９】
2006070699.tif 000031
【図３０】
2006070699.tif 000032
【図３１】
2006070699.tif 000033
【図３２】
2006070699.tif 000034
【図３３】
2006070699.tif 000035
【図３４】
2006070699.tif 000036
【図３５】
2006070699.tif 000037
【図３６】
2006070699.tif 000038